(57)【要約】【課題】自動録画される番組あるいはタイトルに対して削除条件を一括して設定し、ユーザの使い勝手を向上する。【解決手段】記録装置と、受信制御部と、番組案内情報処理部と、自動録画条件を設定する自動録画条件設定部と、前記自動録画条件に付帯させて自動削除条件を設定する自動削除条件設定部と、前記自動録画条件設定部に設定されている条件にヒットした番組もしくはタイトルを、前記記録装置に記録させる自動録画制御部及び記録制御部と、前記自動削除条件設定部に設定されている条件に基づいて、前記記録装置に記録されている記録番組もしくはタイトルを自動削除する削除処理制御部を有する。【選択図】      図１
2007300411.tif 000002
【特許請求の範囲】
【請求項１】
記録媒体を含む記録装置と、
受信部を制御する受信制御部と、
番組案内情報のテーブルを有する番組案内情報処理部と、
自動録画条件を設定する自動録画条件設定部と、
前記自動録画条件に付帯させて自動削除条件を設定する自動削除条件設定部と、
前記自動録画条件設定部に設定されている条件にヒットした番組もしくはタイトルを、前記番組案内情報のテーブルから検出し、前記受信制御部を制御して前記ヒットした番組もしくはタイトルを受信し、前記記録装置に記録させる自動録画制御部及び記録制御部と、
前記自動削除条件設定部に設定されている条件に基づいて、前記記録装置に記録されている記録番組もしくはタイトルを自動削除する削除処理制御部と
を有したことを特徴とする自動録画機能付記録再生装置。
【請求項２】
前記自動削除条件設定部は、
前記自動削除条件として、記録から削除されるまでの期間を設定する期間設定部を含むことを特徴とする請求項１記載の自動録画機能付記録再生装置。
【請求項３】
前記自動削除条件設定部は、
前記自動削除条件として、前記番組もしくはタイトルの可能な保持数を設定する保持数設定部を含むことを特徴とする請求項１記載の自動録画機能付記録再生装置。
【請求項４】
前記自動削除条件設定部は、
前記自動削除条件として、前記番組もしくはタイトルの可能な保持容量を設定する保持容量設定部を含むことを特徴とする請求項１記載の自動録画機能付記録再生装置。
【請求項５】
前記削除処理制御部は、削除の形態として、削除対象の番組もしくはタイトルを削除フォルダに移動させる移動処理部を含むことを特徴とする請求項１記載の自動録画機能付記録再生装置。
【請求項６】
記録媒体を含む記録装置と、
受信部を制御する受信制御部と、
番組案内情報のテーブルを有する番組案内情報処理部と、
自動録画条件を設定する自動録画条件設定部と、
少なくとも前記自動録画条件設定部に設定されている条件にヒットした番組もしくはタイトルを、前記番組案内情報のテーブルから検出し、前記受信制御部を制御して前記ヒットした番組もしくはタイトルを受信し、前記記録装置に記録させる自動録画制御部及び記録制御部と、
複数のフォルダを管理しており、前記記録装置に記録されている前記番組もしくはタイトルを、いずれかの自動録画フォルダに格納しているフォルダ管理部と、
前記自動録画フォルダに付帯させて自動削除条件を設定する自動削除条件設定部と、
前記自動削除条件設定部に設定されている条件に基づいて、前記自動録画フォルダに格納されている番組もしくはタイトルを自動削除する削除処理制御部と
を有したことを特徴とする自動録画機能付記録再生装置。
【請求項７】
記録媒体を含む記録装置と、
受信部を制御する受信制御部と、
番組案内情報のテーブルを有する番組案内情報処理部と、
自動録画条件を設定する自動録画条件設定部と、
少なくとも前記自動録画条件設定部に設定されている条件にヒットした番組もしくはタイトルを、前記番組案内情報のテーブルから検出し、前記受信制御部を制御して前記ヒットした番組もしくはタイトルを受信し、前記記録装置に記録させる自動録画制御部及び記録制御部と、
前記番組もしくはタイトルをジャンル別もしくはシリーズ別にクラス分けして管理しているクラス分け管理部と、
前記クラス分けされたうち、指定したクラスに付帯させて自動削除条件を設定する自動削除条件設定部と、
前記自動削除条件設定部に設定されている条件に基づいて、前記指定したクラスの番組もしくはタイトルを自動削除する削除処理制御部と
を有したことを特徴とする自動録画機能付記録再生装置。
【請求項８】
さらにダビング予約設定部を有し、このダビング予約設定部は、
前記自動録画条件に基づいて、ハードディスクに自動録画された番組あるいはタイトルの容量が所定の容量になったとき、光ディスクに当該自動録画された番組あるいはタイトルをダビングすることを特徴とする請求項１記載の自動録画機能付記録再生装置。
【請求項９】
さらにダビング予約設定部を有し、このダビング予約設定部は、
前記自動録画条件に基づいて、ハードディスクに前記番組あるいはタイトルが自動録画され、前記ハードディスクの残り容量が所定の容量になったとき、光ディスクに当該自動録画された番組あるいはタイトルをダビングすることを特徴とする請求項１記載の自動録画機能付記録再生装置。
【請求項１０】
記録媒体を含む記録装置と、受信部を制御する受信制御部と、番組案内情報のテーブルを有する番組案内情報処理部と、自動録画条件を設定する自動録画条件設定部とを有する装置の制御方法において、
前記自動録画条件に付帯させて自動削除条件を設定し、
前記自動録画条件設定部に設定されている条件にヒットした番組もしくはタイトルを、前記番組案内情報のテーブルから検出し、前記受信制御部を制御して前記ヒットした番組もしくはタイトルを受信し、前記記録装置に記録し、
前記自動削除条件に基づいて、前記記録装置に記録されている記録番組もしくはタイトルを自動削除する
ことを特徴とする自動録画機能付記録再生装置の情報整理方法。
【請求項１１】
前記自動削除条件は、記録から削除されるまでの期間を設定することを特徴とする請求項１０記載の自動録画機能付記録再生装置の情報整理方法。
【請求項１２】
前記自動削除条件は、前記番組もしくはタイトルの可能な保持数を設定することを特徴とする請求項１０記載の自動録画機能付記録再生装置の情報整理方法。
【請求項１３】
前記自動削除条件は、前記番組もしくはタイトルの可能な保持容量を設定することを特徴とする請求項１０記載の自動録画機能付記録再生装置の情報整理方法。
【請求項１４】
前記削除の形態は、削除対象の番組もしくはタイトルを削除フォルダに移動させることを特徴とする請求項１０記載の自動録画機能付記録再生装置の情報整理方法。
【発明の詳細な説明】
【技術分野】
【０００１】
この発明は、自動録画機能付記録再生装置及びその情報整理方法に関するものであり、特に、自動録画した多数の番組をユーザが設定した条件に応じて整理できるようにした。
【背景技術】
【０００２】
近年、ハードディスクドライブ（ＨＤＤ）、ＤＶＤ（デジタルバーサタイルディスク）などの記録媒体に関して記録容量の向上が得られ、これらの記録媒体を用いた記録再生装置では、多くの番組を録画可能となっている。
【０００３】
一方、放送方式として、地上アナログ放送、地上デジタル放送、衛星アナログ放送、衛星デジタル放送など、各種の放送方式が実現化されている。
【０００４】
また、デジタル放送では、新聞や雑誌のテレビ番組表の代わりに、電子番組ガイド（ＥＰＧ）が番組情報として放送されている。この番組情報は、電話回線などのネットワークを介して取得可能となるように検討されている。
【０００５】
また、最近の記録再生装置では、番組表の中からユーザが予め選択した番組を自動的に録画する、録画予約機能を有する。また、ユーザが、好みのジャンルを設定すれば、自動的に番組表の中から好みのジャンルの番組を検索し、自動的に好みのジャンルの番組を録画する自動録画機能も考えられている。
【０００６】
ユーザは、受信装置で受信されたＥＰＧが表示器の画面上に表示された状態で、録画予約の設定やジャンルの設定行うことができる。
【０００７】
しかし、最近のように放送方式が複数となり、またチャンネル数も多くなると、ユーザが録画予約を行なう手間が複雑かつ面倒な作業となる。また、例えば好みのジャンルを自動録画予約すると、自動録画する番組が非常に多くなり、録画後の整理に手間取る、同じ番組を別々の放送（例えば地上放送、衛星方法）からダブって録画する、記憶媒体の容量を多く使用するなどの不具合が生じる。
【０００８】
このようなユーザの不便を解消する方法として、記録する番組とともに記録保持条件をハードディスクに記録する装置がある（例えば特許文献１）。この装置では、記録保持条件はマイクロプロセッサによりチェックされ、記録保持条件から外れた番組は消去される。
【特許文献１】特開２００３−２８９４９０公報
【発明の開示】
【発明が解決しようとする課題】
【０００９】
特許文献１では、番組の予約毎に、その番組の保持条件を設定する方法である。保持条件の設定を忘れると、番組が恒久的に残る場合がある。
【００１０】
この発明は、まず自動録画される番組あるいはタイトルに対して削除条件を一括して設定し、ユーザの使い勝手を向上した自動録画機能付記録再生装置及びその情報整理方法を提供することを目的とする。
【課題を解決するための手段】
【００１１】
上記の目的を達成するためにこの発明の一面では、記録媒体を含む記録装置と、受信部を制御する受信制御部と、番組案内情報のテーブルを有する番組案内情報処理部と、自動録画条件を設定する自動録画条件設定部と、前記自動録画条件に付帯させて自動削除条件を設定する自動削除条件設定部と、前記自動録画条件設定部に設定されている条件にヒットした番組もしくはタイトルを、前記番組案内情報のテーブルから検出し、前記受信制御部を制御して前記ヒットした番組もしくはタイトルを受信し、前記記録装置に記録させる自動録画制御部及び記録制御部と、前記自動削除条件設定部に設定されている条件に基づいて、前記記録装置に記録されている記録番組もしくはタイトルを自動削除する削除処理制御部を有する。
【発明の効果】
【００１２】
上記の手段によると、比較的大量に番組もしくはタイトルが自動録画される傾向にある自動録画動作に対して、一括して削除条件を設定でき、取り扱い及び操作性の向上が得られる。
【発明を実施するための最良の形態】
【００１３】
以下この発明の実施の形態を、図面を参照して説明する。まず図１にはこの発明が適用された情報記録再生装置の全体的なブロック構成を示している。図１では、記録媒体としてＤＶＤなどの光ディスクとハードディスクの双方を取り扱うことができる装置として示しているが、ハードディスクあるいはＤＶＤなどの光ディスクは例えば半導体メモリによる記録媒体などに置換されてもよい。
【００１４】
図１において、各ブロックを大きく分けると、左側には記録部の主なブロックを示し，右側には再生部の主なブロックを示している。この記録再生装置は、ディスクドライブ部１００２と、ハードディスクドライブ部１００４の２種類のディスクドライブ部を有する。ディスクドライブ部１００２は、光ディスク１００１を回転駆動し、情報の読み書きを実行する。ディスクドライブ部１００２は、光ディスク１００１に対する回転制御系、レーザ駆動系、光学系などを有する。また、ハードディスクドライブ部１００４は、ハードディスクを駆動する。
【００１５】
データプロセッサ部１００３は、ディスクドライブ部１００２及びハードディスクドライブ部１００４に記録データを供給することができ、また、再生された信号を受け取ることができる。データプロセッサ部１００３は、記録または再生単位のデータを取り扱うもので、バッファ回路、変調・復調回路、エラー訂正部などを含む。
【００１６】
また記録再生装置は、録画側を構成するエンコーダ部５０と、再生側を構成するデコーダ部６０と、装置本体の動作を制御するマイクロコンピュータブロック３０とを主たる構成要素としている。エンコーダ部５０は、トランスポートストリーム処理部及び複数のエンコーダを含む。
【００１７】
エンコーダ部５０は、基本的には入力されたアナログビデオ信号やアナログオーディオ信号をデジタル化するビデオ用及びオーディオ用のアナログデジタルコンバータと、ビデオエンコーダと、オーディオエンコーダとを有する。さらに、副映像エンコーダも含む。
【００１８】
エンコーダ部５０からのエンコード出力は、バッファメモリ５２を含むフォーマッタ５１にて所定のＤＶＤのフォーマットに変換され、先のデータプロセッサ部１００３に供給される。
【００１９】
なおトランスポートストリームから抽出したパケットエレメンタリーストリームがエンコーダ部５０から直接ハードディスクドライブ部１００４のハードディスクに記録される場合もある。
【００２０】
エンコーダ部５０には、スイッチ５３を介して、ＡＶ入力部４１ａからの外部アナログビデオ信号と外部アナログオーディオ信号が入力することができる。またエンコーダ部５０には、地上波アナログチューナ４１ｂ、地上波デジタルチューナ４１ｃ、衛星ＢＳ／ＣＳチューナ４１ｄ，衛星アナログチューナ４１ｅからの受信信号が選択的に入力することができる。また、エンコーダ部５０で複数のデコーダが活用される場合、地上波デジタルチューナ４１ｃで受信した番組がハードディスクドライブ部１００４で録画され、同時に、衛星ＢＳ／ＣＳチューナ４１ｄで受信した番組を視聴することも可能である。
【００２１】
なお、エンコーダ部５０は、圧縮されたデジタルビデオ信号やデジタルオーディオ信号が直接入力されるときは、圧縮デジタルビデオ信号やデジタルオーディオ信号を直接フォーマッタ５１に供給することもできる。またエンコーダ部５０は、アナログデジタル変換されたデジタルビデオ信号やオーディオ信号を、ビデオミキシング部７１やオーディオセレクタ７６に直接供給することもできる。
【００２２】
エンコーダ部５０に含まれるＭＰＥＧビデオエンコーダでは、デジタルビデオ信号はＭＰＥＧ２またはＭＰＥＧ１規格に基づいた可変ビットレートで圧縮されたデジタルビデオ信号に変換される。デジタルオーディオ信号は、ＭＰＥＧまたはＡＣ−３規格に基づいて固定ビットレートで圧縮されたデジタルオーディオ信号、あるいはリニアＰＣＭのデジタルオーディオ信号に変換される。
【００２３】
副映像信号がＡＶ入力部４１ａから入力された場合（例えば副映像信号の独立出力端子付ＤＶＤビデオプレーヤからの信号など）、あるいはこのようなデータ構成のＤＶＤビデオ信号が放送されてそれがＴＶチューナ部で受信された場合は、ＤＶＤビデオ信号中の副映像信号が副映像エンコーダでエンコード（ランレングス符号化）されて副映像のビットマップとなる。
【００２４】
エンコードされたデジタルビデオ信号、デジタルオーディオ信号、副映像データは、フォーマッタ５１にてパック化され、ビデオパック、オーディオパック、副映像パックとなり、さらにこれらが集合されて、ＤＶＤ-ビデオ規格で規定されたフォーマット（ＤＶＤ  Ｖｉｄｅｏフォーマット）や、ＤＶＤ-レコーディング規格で規定されたフォーマット（ＤＶＤ  ＶＲフォーマット）に変換される。フォーマッタ５１は、上記の変換処理のとき、バッファメモリ５２も利用している。
【００２５】
装置は、フォーマッタ５１でフォーマット化された情報（ビデオ、オーディオ、副映像データなどのパック）及び作成された管理情報を、データプロセッサ部１００３を介してハードディスクドライブ部１００４あるいはデータディスクドライブ部１００２に供給し、ハードディスクあるいは光ディスク１００１に記録することができる。またハードディスクあるいは光ディスク１００１に記録された情報を、データプロセッサ部１００３、ディスクドライブ部１００２を介して光ディスク１００１あるいはハードディスクに記録することもできる。
【００２６】
またハードディスクあるいは光ディスク１００１に記録されている複数番組のビデオオブジェクトを、一部削除したり、異なる番組のオブジェクトをつなげたり、といった編集処理を行うこともできる。
【００２７】
マイクロコンピュータブロック３０は、ＭＰＵ（マイクロプロセッシングユニット）、またはＣＰＵ（セントラルプロセッシングユニット）と、制御プログラム等が書きこまれたＲＯＭと、プログラム実行に必要なワークエリアを提供するためのＲＡＭとを含んでいる。マイクロコンピュータブロック３０は、ネットワークインターフェース３２０を介して、外部ネットワークに接続することが可能である。これにより、外部のサーバーから電子番組案内情報（ＤＥＰＧ：Dynamic Electronic Program Guide）を取り込むことも可能である。
【００２８】
さらにマイクロコンピュータブロック３０のＭＰＵは、そのＲＯＭに格納された制御プログラムに従い、ＲＡＭをワークエリアとして用いて、欠陥場所検出、未記録領域検出、録画情報記録位置設定、ＵＤＦ記録、ＡＶアドレス設定などを実行する。
【００２９】
またマイクロコンピュータブロック３０は、装置の各ブロックを統括して制御するために必要な各種の情報処理部を有するもので、ワークＲＡＭ、ディレクトリ検出部、ＶＭＧ（全体のビデオ管理情報）情報作成部、パケットヘッダ処理部、シーケンスヘッダ処理部などを備える。またマイクロコンピュータブロック３０は、録画を実行する際の管理情報の制御部と、編集を実行する際の管理情報の制御部をも備える。
【００３０】
さらに、マイクロコンピュータブロック３０には、ＥＰＧ情報処理部３０１（番組案内情報のテーブルを有する番組案内情報処理部）、チューナなどを制御する受信制御部３０２を有する。また、ユーザが所望の番組を指定して録画予約を行なった場合、予約番組或いはタイトルの録画を行なうための予約録画制御部３１１、この予約録画制御部３１１による制御に基づいてエンコーダ部５０、ドライブ部１００２を駆動する記録制御部３１２を有する。またユーザ操作に応答して、記録した番組或いはタイトルを再生するために、再生制御部３１３を有する。
【００３１】
また表示制御部３１４は、ユーザの操作に応じてグラフィックユーザインタフェースとなる画面を出力する。この出力画面の例について後述する。
【００３２】
さらにマイクロコンピュータブロック３０は、自動録画制御部３２１、この自動録画制御部３２１が、自動録画制御を行なうための条件を設定する自動録画条件設定部３２２を有する。そして、自動録画された番組あるいはタイトルを自動削除するための条件を設定する自動削除条件設定部３２３と、削除条件に該当する番組あるいはタイトルを具体的に削除するための削除処理制御部３２４を有する。さらに複数のフォルダを管理するフォルダ管理部３２５を有する。各フォルダには、記録装置で記録した番組あるいはタイトルが格納される。フォルダは、例えばジャンル毎、シリーズ番組毎に分離されていてもよい。
【００３３】
さらにまた、クラス分け管理部３２６が設けられても良い。クラス分けとしては、例えば各番組或いはタイトルがジャンル別に識別される方法、シリーズ番組別に識別され方法がある。
【００３４】
さらにまた、上記した自動録画制御部３２１、及び記録制御部３１２により自動録画が行なわれると、録画品質が自動設定されてもよい。このためにマイクロコンピュータブロック３０には、録画品質管理部３２７が設けられている。録画品質管理部３２７は、デフォルトの品質設定データが用意される。しかし、その後、品質設定データをユーザが調整した後は、調整の履歴のデータが自動的に品質設定に使用される。例えば、ユーザは、アニメ映画に対しては、画質をあげるための調整を行なうかもしれない。またユーザは、音楽番組に対しては、音質をあげるための調整を行なうかもしれない。また録画品質管理部３２７では、ジャンル別に品質設定された履歴が整理されていてもよい。そして、あるスポーツ番組が自動録画されるとき、過去のスポーツ番組の品質設定データが自動的に採用さるようにしてもよい。
【００３５】
さらにまたマイクロコンピュータブロック３０には、ダビング予約設定部３２８が設けられていてもよい。ダビング予約設定部３２８は、自動録画された番組もしくはタイトルが、適切な時期（例えば光ディスクの1枚に収まる程度の容量（例えば４ＧＢ程度）になったとき）、自動的にハードディスクから光ディスクへのダビングを実行させるというものである。光ディスクとしてはＤＶＤ−ＲＡＭ，ＤＶＤ−Ｒ，ＤＶＤ−ＲＷなどがある。また自動ダビングを実行させる条件としては、ハードディスクの残り容量が所定容量以下になったときに、光ディスクへのダビングを実行するようにしてもよい。
【００３６】
また、ＭＰＵの実行結果のうち、ユーザに通知すべき内容は、映像データ記録再生装置の表示部８１に表示されるか、またはモニターディスプレイ３００１にＯＳＤ（オンスクリーンディスプレイ）表示される。
【００３７】
またマイクロコンピュータブロック３０は、この装置を操作するための操作信号を与える操作入力部８２を有する。この操作入力部８２は、例えば記録再生装置の本体上に設けた操作スイッチ類や、あるいはリモートコントローラなどに相当する。また、記録再生装置と有線通信あるいは無線通信あるいは光通信や赤外線通信などの手段を用いて接続されたパーソナルコンピューターであってもよい。いずれの形態であるにせよ、ユーザがこの操作入力部８２を操作することにより、入力された映像音声信号の録画処理や、録画されたコンテンツの再生処理、あるいは録画されたコンテンツに対する編集処理などを施すことができる。
【００３８】
なお、マイクロコンピュータブロック３０が、ディスクドライブ部１００２、ハードディスクドライブ部１００４、データプロセッサ部１００３、エンコーダ部５０及び／またはデコーダ部６０などを制御するタイミングは、ＳＴＣ（システムタイムクロック）３１からの時間データに基づいて実行することができる。録画や再生の動作は、通常はＳＴＣ３１からのタイムクロックに同期して実行されるが、それ以外の処理はＳＴＣ３１とは独立したタイミングで実行されてもよい。
【００３９】
デコーダ部６０は、パック構造を持つＤＶＤフォーマットの信号から各パックを分離して取り出すセパレータと、パック分離やその他の信号処理実行時に使用するメモリと、セパレータで分離された主映像データ（ビデオパックの内容）をデコードするＶデコーダと、セパレータで分離された副映像データ（副映像パックの内容）をデコードするＳＰデコーダと、セパレータで分離されたオーディオデータ（オーディオパックの内容）をデコードするＡデコーダとを有する。またデコードされた主映像にデコードされた副映像を適宜合成し、主映像にメニュー、ハイライトボタン、字幕やその他の副映像を重ねて出力するビデオプロセッサを備えている。
【００４０】
デコーダ部６０の出力ビデオ信号は、ビデオミキシング部７１に入力される。ビデオミキシング部７１では、例えばテキストデータの合成が行われる。またビデオミキシング部７１には、ＴＶチューナやＡＶ入力部４１aからの信号を直接取り込むラインもまた接続されている。ビデオミキシング部７１には、バッファとして用いるフレームメモリ７２が接続されている。ビデオミキシング部７１の出力がアナログ出力の場合はＩ／Ｆ（インタフェース）７３を介して外部出力され、デジタル出力の場合はデジタルアナログ変換器７４を介して外部へ出力される。
【００４１】
デコーダ部６０の出力オーディオ信号は、セレクタ７６を介してデジタルアナログ変換器７７でアナログ変換され外部に出力される。セレクタ７６は、マイクロコンピュータブロック３０からのセレクト信号により制御される。これによりセレクタ７６は、ＴＶチューナやＡＶ入力部４１aからのデジタル信号を直接モニタする時、エンコーダ部５０をスルーした信号を直接選択することも可能である。
【００４２】
なお、エンコーダ部５０のフォーマッタでは、録画中、各切り分け情報を作成し、定期的にマイクロコンピュータブロック３０のＭＰＵへ送る（ＧＯＰ先頭割り込み時などの情報）。切り分け情報としては、ＶＯＢＵのパック数、ＶＯＢＵ先頭からのIピクチャのエンドアドレス、ＶＯＢＵの再生時間などである。
【００４３】
同時に、アスペクト情報処理部からの情報を録画開始時にＭＰＵへ送り、ＭＰＵはＶＯＢストリーム情報（ＳＴＩ）を作成する。ここでＳＴＩは、解像度データ、アスペクトデータなどを保存し、再生時、各デコーダ部ではこの情報を元に初期設定が行われる。
【００４４】
また本装置では、データをアクセス（シーク）している間に、途切れないで再生を続けるために、最低限連続する情報単位（サイズ）を決めている。この単位をＣＤＡ（コンティギュアス・データ・エリア）という。ＣＤＡサイズは、ＥＣＣ（エラー訂正コード）ブロック（１６セクタ）の倍数であり、ファイルシステムではこのＣＤＡ単位で記録を行っている。
【００４５】
データプロセッサ部１００３は、エンコーダ部５０のフォーマッタからＶＯＢＵ単位のデータを受け取り、ＣＤＡ単位のデータをディスクドライブ部１００２あるいはハードディスクドライブ部１００４に供給している。またマイクロコンピュータブロック３０のＭＰＵは、記録したデータを再生するのに必要な管理情報を作成し、データ記録終了のコマンドを認識すると、作成した管理情報をデータプロセッサ部１００３に送る。これにより、管理情報がディスクに記録される。従って、エンコードが行われているとき、エンコーダ部５０からマイクロコンピュータブロック３０のＭＰＵは、データ単位の情報（切り分け情報など）を受け取る。また、マイクロコンピュータブロック３０のＭＰＵは、記録開始時には光ディスク及びハードディスクから読み取った管理情報（ファイルシステム）を認識し、各ディスクの未記録エリアを認識し、データ上の記録エリアをデータプロセッサ部１００３からディスクに設定している。
【００４６】
図２には自動録画設定を行なうときに表示される画面の例を示している。自動録画設定状態に移行するためには、例えば、操作入力部８２に含まれるリモートコントローラにより、例えばメニュー画面ボタンを操作する。モニタ３００１に表示されたメニュー画面には、番組のナビゲーションを行なうために、例えば、「番組ナビ  おまかせ自動録画設定」という項目がある。ユーザは、リモートコントローラを操作し、この「番組ナビ  おまかせ自動録画設定」にカーソルを合わせて、決定ボタンを操作する。
【００４７】
すると、図２に示す画面８００が現れる。この画面には、画面名８０１、自動録画を行なうための番組情報のキーワード表示領域８０２、時間帯表示領域８０３、チャンネル表示領域８０４、自動録画するか否かを指示する自動録画指示領域８０５、記録先表示領域８０６、自動削除条件表示領域８０７、番組録画の品質設定表示領域８０８、ジャンル表示領域８０９、再放送も録画の対象か否かを表示する再放送指定表示領域８１０が確保されている。さらにまた、設定が完了したときの完了指定ボタン８１１、設定をクリアするときの設定クリアボタン８１２、削除条件を設定するときに利用される設定削除ボタン８１３も表示される。またキーワードの入力方法の説明文８１４も表示される。キーワードは、ワード”Ａ”又はワード”ａ”を含み、ワード”ｏ”を含まないというような入力方法が可能である。
【００４８】
上記の状態で、例えば、ボタン８１３がカーソルで選択されて、決定ボタンが押されると、例えば図３に示すように、自動録画した番組あるいはタイトルあるいはこれらが保存されているフォルダの削除条件入力領域８２０が表示される。なお図３の画面状態に移行する方法は、各種の方法が可能であり、リモートコントローラに削除設定キーを設けてもよい。
【００４９】
削除条件入力領域８２０が利用され、削除条件として、例えば複数のタイプを排他的に設定することができる。第1のタイプの削除条件は、たとえば保存した番組を保存した日から何日間保存するかという条件である。図に示した例は、１０日が設定されている（領域８２１）。第２のタイプの削除条件は、自動録画番組としてトータルで何タイトルまで、保持するかと言う設定である。図の例では３タイトルが示されている（領域８２２）。これは、同じシリーズ番組の新しい３つが保存されるということを意味する。シリーズとは無関係にトータル数を設定できるようにしてもよい。第３のタイプの削除条件は、自動録画番組のトータル保存容量として、何ギガバイトまで保存するかとう設定である。図の例では５ギガが設定されている（領域８２３）。
【００５０】
上記の条件のいずれかが選択ボタンにより設定される。図の例では、第1のタイプの削除条件が選択されている。
【００５１】
上記した図２のように自動録画条件が設定された後は、条件に適合する番組或いはタイトルが記録装置にて記録媒体に記録される。自動録画条件は、図1に示した自動録画条件設定部３２２に保持されている。
【００５２】
自動録画制御部２３１と記録制御部３１２は、自動録画条件設定部３２２に設定されている条件に適合したヒット番組もしくはタイトルを、番組案内情報のテーブルから検出し、受信制御部（チューナなど）を制御してヒット番組もしくはタイトルを受信し、記録装置（ハードディスクなど）に記録させる。
【００５３】
次に、自動削除条件設定部３２３は、上記した削除条件を保存している。そして削除処理制御部３２４は、図３に示した削除条件に基づいて、定期的あるいは装置の起動時、あるいは待機状態にあるときに、ハードディスクに自動録画された番組あるいはタイトルの整理を行なう制御を行なう。
【００５４】
図４は、自動録画タイトルの自動削除が行なわれる際の動作を示すフローチャートである。また図５は、図４のステップ１−１の詳細を示すもので、自動録画タイトルの一覧を生成する動作を示すフローチャートである。
【００５５】
まず図５を参照して自動録画タイトルの一覧の生成動作を説明する。削除処理制御部３２４は、録画済みタイトルの総数を取得する（ステップ２−１）。この総数は、例えばハードディスクの管理情報に記述されている。また同じく管理情報に記述されているタイトル情報を取得する（ステップ２−２）。タイトル情報は、タイトル毎に付加されており、自動録画されたものであるか、ユーザが当てて録画予約することにより予約録画制御部３１１の制御のもとで録画されたものであるかを区別する識別情報である。その他、タイトル情報は、図２で説明したようなジャンル、品質、チャンネルなどの情報も含むし、録画した日付の情報も含む。またタイトル情報は、各タイトルのおおよその容量の情報を有する。
【００５６】
今、注目しているタイトルが自動録画されたタイトルであれば、自動録画タイトル一覧のテーブルに追加する（ステップ２−４）。録画されているすべてのタイトルについて、上記したステップ２−３の判定が行なわれることで、自動録画したタイトルの一覧を得るテーブルが出来上がる（ステップ２−５）。
【００５７】
次に図４に戻り説明する。一覧が出来上がったところで、自動録画したタイトルの総タイトル数を取得する（ステップ１−２）。次に、時計回路より現在の日付（ＣｕｒＤａｔｅ）を取得する（ステップ１−３）。次に、注目したタイトルのタイトル情報から録画した日付（ＲｅｃＤａｔｅ）を取得する（ステップ１−４）。次に、
（録画した日付（ＲｅｃＤａｔｅ）＋保持日数）＞現在の日付（ＣｕｒＤａｔｅ）
であるかどうかの判定を行なう（ステップ１−５）。ＹＥＳであれば、前記注目したタイトルは、保持日数を上回って保持されていることであるから、当該タイトルを削除する（ステップ１−６）。このような処理を、自動録画したタイトルのすべてに対して実行する（ステップ１−７）。上記した例では、自動録画タイトルは、自動録画された日から11日目には削除される。
【００５８】
上記した処理は、保持日数を削除条件として設定した例であるが、図６は、保存可能なタイトル数を削除条件として設定した場合、図７は、保存可能な容量を削除条件として設定した場合の削除動作を示すフローチャートである。以下、それぞれの動作を説明する。
【００５９】
図６において、自動録画タイトル一覧を生成し（ステップ３−１）、次に自動録画タイトルの総タイトル数Ｎを取得する（ステップ３−２）。次に、Ｎが保存可能なタイトル数よりも大きいか否かを判定する（ステップ３−３）。Ｎが大きい場合には、最古の自動録画タイトルを削除し（ステップ３−４）、先ほど取得したＮから１を減算する（ステップ３−５）。そして再度ステップ３−３に戻る。Ｎが保存可能なタイトル数よりも小さくなったら終了する。上記した例では、４本目のタイトルが自動録画されると、最も古いタイトルが自動削除される。
【００６０】
図７において、自動録画タイトル一覧を生成し（ステップ４−１）、次に自動録画タイトルの総保存量Ｇを取得する（ステップ４−２）。次に、保存容量Ｇが保存可能な容量よりも大きいか否かを判定する（ステップ４−３）。Ｇが大きい場合には、最古の自動録画タイトルを削除し（ステップ４−４）、先ほど取得したＧから削除したタイトルの容量を減算する（ステップ４−５）。そして再度ステップ４−３に戻る。Ｇが保存可能な容量よりも小さくなったら終了する。上記した例であると、自動録画された全タイトルの保存容量が５Ｇバイトを超えたとき、最も古いタイトルが自動的に削除される。
【００６１】
この発明は上記の実施形態に限定されない。上記した実施の形態では、削除処理制御部３２４は、削除の形態として、タイトルを削除するものとして説明した。しかしこれに限るものではなく、移動処理部を含んでもよい。そして削除対象の番組もしくはタイトルを削除フォルダに移動させるようにしてもよい。
【００６２】
この発明は上記の実施形態に限定されない。上記した実施の形態では、自動削除条件設定部３２３は、自動録画タイトルの全般にわたって、削除条件を設定した。つまり、さきの説明では、自動録画設定情報に削除条件が付帯しているので、どのようなフォルダに自動録画されたタイトルが存在しようが、削除条件を満たすタイトルが削除される。
【００６３】
しかし、特定のフォルダを決めて、このフォルダに対して削除条件を設定しても構わない。この場合は、メニュー画面からナビゲーションボタンの１つである「見るナビ  タイトルサムネイル（タイトルフォルダ）一覧」が選択される。すると、例えば図８に示すように、フォルダの一覧が表示される。この中に例えば、自動録画タイトルを格納したラルクのフォルダが存在する。ここで、この画面の状態で、削除条件を設定するために、例えば削除条件設定キーが操作されると、図９に示すように削除条件入力領域８２０が表示される。これ以後の説明は、図３で説明した通りである。即ち、このフォルダに格納されているタイトルが、削除条件を満たすとき削除される。したがって、録画予約により録画されるタイトルであっても、保存先をこの自動削除フォルダに格納すると、先の削除条件により、削除される。
【００６４】
この発明は上記の実施形態に限定されない。番組あるいはタイトルを、例えばジャンル別タイトルあるいはシリーズ別タイトル毎にグラス分けし、ジャンル別或いはシリーズ別に削除条件を設定できるようにしても良い。
【００６５】
即ち、この場合は、メニュー画面からナビゲーションボタンの１つである「見るナビ  タイトルサムネイル一覧」が選択される。すると、例えば図１０に示すように、タイトルサムネイルの一覧が表示される。ここで、例えばこの画面の状態で、削除条件を設定するために、例えば削除条件設定キーが操作されると、クラス分けメニュー８３１が表示される。このメニュー８３１には、ジャンル別に分類するか、シリーズ別に分類するかを選択するためのボタン８３２、８３３が用意されている。
【００６６】
ここで、例えばジャンル別を選択すると、図１１に示すように、タイトルのサムネイルがジャンル別に分類される。個々でユーザは、所望のジャンルのサムネイルをハイライトしながら、削除条件入力領域８２０に削除条件を設定することができる。図１０の状態で例えばシリーズ別が選択されると、図１２に示すように、タイトルのサムネイルがシリーズ別に分類される。個々でユーザは、所望のシリーズのサムネイルをハイライトしながら、削除条件入力領域８２０に削除条件を設定することができる。これ以後の説明は、図３で説明した通りである。即ち、このタイトルが、削除条件を満たすとき削除される。
【００６７】
図１３には、自動録画される番組もしくはタイトルの録画品質を設定する録画品質設定画面８４１が画面８００内に表示された例を示している。録画品質設定画面８４１は、例えばリモートコントローラに設けられている画質キーを操作してもよい。または、番組録画の品質設定表示領域８０８にカーソルを合わせて決定を押すと、録画品質設定画面８４１が現れるようにしてもよい。録画品質設定画面８４１では、マニュアルで個別指定を行うときに選択されるボタン８４２と、過去に設定したデータが履歴として保存されている複数のボタン（設定1−設定５、高レート節約）がある。
【００６８】
ユーザは、録画品質設定画面８４１にて、自動録画されるタイトルの品質を設定することができる。例えばキーワードが、自動録画される番組もしくタイトルが非常に多くなるようなキーワードであった場合、ＨＤ容量を消費しすぎないように低レートの録画品質を設定するかもしれない。キーワードが絞り込まれており、自動録画される番組もしくはタイトル数は少ないが、ユーザは、高レートで録画したいと要求するかもしれない。これらは、ユーザが任意に設定することである。
【００６９】
新規に自動録画の録画品質を設定する場合、以前の録画品質設定履歴が記憶されており、自動録が開始されるとき、その設定情報がデフォルト値として採用される。これはユーザの自動録画の使用目的が、以前と同じであった場合、ユーザは、同じ録画品質を設定する可能性が高い。そこで、新規の自動録画が設定されたとき、録画品質管理部３２７は、最新の設定情報を選択する。
【００７０】
この場合、さらに番組もしくはタイトルをジャンル或いはシリーズ番組ごとにクラス分けし、クラス別の品質設定を行なっても良い。例えば、ニュースやバラェティなど1度視聴したら削除してもかまわないという番組もある。このようなジャンルではサンプリングレートとして低レートで記録することが多い。また、映画などの番組は、サンプリングレートとして高レートを設定して記録することが多い。したがって、録画品質設定情報がジャンル別に管理されていてもよい。そして、自動録画する番組のジャンルに応じて、最近使用した録画品質設定情報が履歴の中から自動選択されるようにしてもよい。これによりユーザの意思が効果的に録画番組に反映されることになる。
【００７１】
さらにこの発明は、上記の実施の形態に限定されるものではない。自動録画設定が行なわれた後、例えばリモートコントローラのダビングキーを操作することにより、図１４に示すようなダビング予約画面８５１が、画面８００内に表示される。ダビング予約画面８５１には、自動録画した番組もしくはタイトルのダビング予約を「する」、「しない」を選択するボタンが表示される。ユーザは、カーソルを移動させて所望のボタンを選択し、決定キーを押すことで、ダビング予約を行なうことができる。
【００７２】
ダビング予約を「する」にした場合、ＨＤＤに自動録画された記録番組もしくはタイトルは、適切な時期に自動的に例えば光ディスクに自動的にダビングされる。この処理はダビング予約設定部３２８により実行される。ダビング予約設定部３２８は、自動録画された番組もしくはタイトルが、適切な時期（例えば光ディスクの1枚に収まる程度の容量（例えば４ＧＢ程度）になったとき）、自動的にハードディスクから光ディスクへのダビングを実行させるというものである。光ディスクとしてはＤＶＤ−ＲＡＭ，ＤＶＤ−Ｒ，ＤＶＤ−ＲＷなどがある。また自動ダビングを実行させる条件としては、ハードディスクの残り容量が所定容量以下になったときに、光ディスクへのダビングを実行するようにしてもよい。
【００７３】
上記の実施形態の説明において、自動削除条件を、自動録画条件に付帯する例１と、フォルダに付帯させる例２と、指定したクラスに付帯させる例３を説明した。しかしこの発明の装置は、機能としては上記例１，２，３をいずれか１つを有してしてもよく、またすべての例１，２，３を有し、いずれかを選択できる機能を有してもよい。
【００７４】
上記したように本装置によると、自動削除の条件をユーザが明示的に設定できるので、ユーザが意図しない番組を自動削除することを防止できる。また録画品質を設定できる機能を用いた場合、履歴情報が利用される。このため改めて録画品質を再設定するようなわずらわしさを緩和できる。また自動録画したタイトルあるいは番組が自動的にダビングされる機能を持たせることができる。このために改めてユーザがダビングを行う必要はない。
【００７５】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００７６】
【図１】この発明が適用された情報記録再生装置のブロック構成を示す図である。
【図２】図１の装置のモニタ３００１に表示された画面の例であり、自動録画条件を設定する画面の例を示す図である。
【図３】図１のモニタ３００１に表示された画面の例であり、自動削除条件を設定する画面の例を示す図である。
【図４】図１の装置において、自動録画タイトルの自動削除が行なわれるときの動作例を示すフローチャートである。
【図５】図４のフローチャートの一部であり、自動録画タイトル一覧が生成されるときの動作例を示すフローチャートである。
【図６】図１の装置において、自動録画タイトルの自動削除が行なわれるときの他の動作例を示すフローチャートである。
【図７】図１の装置において、自動録画タイトルの自動削除が行なわれるときのさらに他の動作例を示すフローチャートである。
【図８】図１の装置において、フォルダ管理部３２５で管理しているフォルダが表示されたモニタ３００１上の画面の一例を示す図である。
【図９】図９のフォルダに対して削除条件を設定画面が表示されたモニタ３００１上の画面の一例を示す図である。
【図１０】図１の装置のクラス分け管理部３２６が番組のクラス分けを行なうときに表示されたクラス分けメニュー画面の例を示す図である。
【図１１】クラス分けされた番組もしくはタイトルに対して、削除条件を設定するときに表示される画面の例を示す図である。
【図１２】クラス分けされた番組もしくはタイトルに対して、削除条件を設定するときに表示される画面の例を示す図である。
【図１３】図１の装置の録画品質管理部３２７により録画品質が設定されるときの画面の例を示す図である。
【図１４】図１の装置のダビング予約設定部３２８によりダビング予約が行なわれるときの画面の例を示す図である。
【符号の説明】
【００７７】
１００１…光ディスク、１００２…ディスクドライブ部、１００３…データプロセッサ部、１００４…ハードディスクドライブ部、
３０…マイクロコンピュータブロック、４１ａ…ＡＶ入力部、４１ｂ…地上波アナログチューナ、４１ｃ…地上波デジタルチューナ、４１ｄ…衛星ＢＳ／ＣＳチューナ、４１ｅ…衛星アナログチューナ、５０…エンコーダ部、６０…デコーダ部、３０１…ＥＰＧ情報処理部、３０２…受信制御部３０２、３１１…予約録画制御部、３１２…記録制御部３１２、３１３…再生制御部、３１４…表示制御部、３２１…自動録画制御部、３２２…自動録画条件設定部、３２３…自動削除条件設定部、３２４…削除処理制御部、３２５…フォルダ管理部、３２６…クラス分け管理部、３２７…録画品質管理部３２７、３２８…ダビング予約設定部３２８。
【図１】
2007300411.tif 000003
【図２】
2007300411.tif 000004
【図３】
2007300411.tif 000005
【図４】
2007300411.tif 000006
【図５】
2007300411.tif 000007
【図６】
2007300411.tif 000008
【図７】
2007300411.tif 000009
【図８】
2007300411.tif 000010
【図９】
2007300411.tif 000011
【図１０】
2007300411.tif 000012
【図１１】
2007300411.tif 000013
【図１２】
2007300411.tif 000014
【図１３】
2007300411.tif 000015
【図１４】
2007300411.tif 000016